(57)【特許請求の範囲】
【請求項１】
外部に露出される複数の操作部に応じて形成され当該各操作部の操作状態を検出する複数の接触端子を有する接触端子シートと、前記複数の接触端子に接続される複数のランド部及び配線部を有するフレキシブルケーブルと、前記接触端子シートと前記フレキシブルケーブルとを支持する板状のフレームと、を積層して備えた操作装置であって、
装置の側面に配置される側面操作部に対応してその押圧操作を受ける側面用操作受け部を、前記フレームを屈曲させて形成すると共に、
前記側面用操作受け部に沿って屈曲され当該側面用操作受け部に支持される、前記側面操作部に対応した側面用接触端子を有する接触端子屈曲部と、この側面用接触端子に接続されるランド部を有するランド屈曲部とを、それぞれ前記接触端子シートと前記フレキシブルケーブルとに設け、
前記接触端子屈曲部に、前記側面用操作受け部の先端部にて当該先端部を覆うよう曲折される延設部を設けた、ことを特徴とする操作装置。
【請求項２】
前記ランド屈曲部を、前記側面用操作受け部に支持された状態において当該側面用操作受け部の先端部から突出しない長さに形成した、ことを特徴とする請求項１記載の操作装置。
【請求項３】
前記側面用操作受け部にて支持される前記ランド屈曲部を、前記側面用操作受け部に対して固着しない、ことを特徴とする請求項２記載の操作装置。
【請求項４】
前記側面用操作受け部にて支持され前記ランド屈曲部上に積層される前記接続端子屈曲部を、前記ランド屈曲部に対して固着しない、ことを特徴とする請求項１，２又は３記載の操作装置。
【請求項５】
前記接触端子屈曲部に設けられた前記延設部を、前記側面用操作受け部の内面側に貼り付けた、ことを特徴とする請求項４記載の操作装置。
【請求項６】
前記側面用操作受け部の先端部に凹部を形成すると共に、
前記側面用操作受け部の先端部における前記延設部の曲折箇所に、前記凹部に嵌合される狭幅部を設けた、ことを特徴とする請求項１，２，３，４又は５記載の操作装置。
【請求項７】
前記狭幅部の曲折方向における長さを、前記側面用操作受け部の先端部の板厚とほぼ同等に設定した、ことを特徴とする請求項６記載の操作装置。
【請求項８】
請求項１乃至７のいずれか一つに記載の操作装置を装備した、ことを特徴とする情報処理端末。
【請求項９】
携帯型情報処理端末である、ことを特徴とする請求項８記載の情報処理端末。
【請求項１０】
携帯電話である、ことを特徴とする請求項９記載の情報処理端末。
【請求項１１】
外部に露出される複数の操作部に応じて形成され当該各操作部の操作状態を検出する複数の接触端子を有する接触端子シートと、前記複数の接触端子に接続される複数のランド部及び配線部を有するフレキシブルケーブルと、前記接触端子シートと前記フレキシブルケーブルとを支持する板状のフレームと、を積層する積層工程と、
前記接触端子シートに設けられ装置の側面に配置される側面操作部に対応した側面用接触端子を有する接触端子屈曲部と、前記フレキシブルケーブルに設けられ前記側面用接触端子に接続されるランド部を有するランド屈曲部とを、前記側面操作部に対する押圧操作を受ける前記フレームを屈曲させて形成された側面用受け部に支持されるよう屈曲する屈曲工程と、
前記屈曲工程の後に、前記接触端子屈曲部の先端側に設けられた延設部を、前記側面用操作受け部の先端部にて当該先端部を覆うよう曲折する延設部曲折工程と、を有することを特徴とする操作装置の組立方法。
【請求項１２】
前記屈曲工程は、前記ランド屈曲部を前記側面用操作受け部に対して固着しない、ことを特徴とする請求項１１記載の操作装置の組立方法。
【請求項１３】
前記積層工程及び屈曲工程は、前記ランド屈曲部上に積層される前記接続端子屈曲部を前記ランド屈曲部に対して固着しない、ことを特徴とする請求項１１又は１２記載の操作装置の組立方法。
【請求項１４】
前記延設部曲折工程の後に、前記延設部を前記側面用操作受け部の内面側に貼り付ける延設部貼付工程を有する、ことを特徴とする請求項１３記載の操作装置の組立方法。
【請求項１５】
前記延設部屈曲工程は、前記側面用操作受け部の先端部に形成された凹部に、前記側面用操作受け部の先端部における前記延設部の曲折箇所に形成された狭幅部を嵌合する、ことを特徴とする請求項１１，１２，１３又は１４記載の操作装置の組立方法。
【請求項１６】
請求項１１乃至１５のいずれか一つに記載の操作装置の組立方法を用いて、前記操作装置を装備した情報処理装置を組み立てる、ことを特徴とする情報処理装置の組立方法。
【発明の詳細な説明】
【技術分野】
【０００１】
本発明は、操作装置にかかり、特に、側面に操作部を有する操作装置及びこれを装備した情報処理端末に関する。
【背景技術】
【０００２】
下記の特許文献１に開示されているように、携帯電話などの情報処理端末においては、その操作性及び利便性の向上を図るべく、側面に操作部を設ける構成が増えている。その実装構造の一例としては、側面に対する実装や端末の厚み方向への位置決めが困難なことから、基板上に押下式スイッチを実装させ、そのスイッチ機構と、側面のキーボタン構造と、を組み合わせる構造がある。つまり、ほぼ垂直となるサイドキーの押下方向と基板上のスイッチ機構の押下方向とを変換させるよう構成する方法がある。また、実装構造の他の例としては、側面とほぼ平行にドーム型の接触端子を備え、当該接触端子を実装させたシートと、当該シートに積層されるフレキシブルケーブルと、に補強板を貼り付け剛性を持たせ、それをフレームに固定して保持する、という構造がある。
【特許文献１】特開平９−２６１３１２号公報
【発明の開示】
【発明が解決しようとする課題】
【０００３】
しかしながら、上述した従来例には、以下のような不都合があった。まず、第一に挙げた側面ボタンと垂直となる押下式スイッチを基板上に実装させる構造では、かかるスイッチ機構を実装させるための領域を基板上に確保する必要があり、部品も高価なためコスト面でも高くなっている、という問題があった。また、第二に挙げた側面に平行に接触端子を設ける構造では、接触端子部分に剛性を持たせた構造をフレームに固定して保持させるために、枠や爪係止部などの部品を新たに設けて固定させる必要があるため、実装空間上の制約が生じ、さらに、フレームの形状が複雑になってしまう、という問題があった。そして、薄型化を想定した場合においては、板金などの薄い材料での構成が困難となる、という問題も生じていた。【０００４】
このため、本発明は、上記従来例の有する不都合を改善し、特に、側面操作部の実装構造の簡素化を図り、実装工程の容易化、製造コストの低減を図ることができる操作装置及びこれを装備した情報処理端末を提供する、ことをその目的とする。
【課題を解決するための手段】
【０００５】
そこで、本発明の一形態である操作装置及びこれを装備した情報処理端末は、
外部に露出される複数の操作部に応じて形成され当該各操作部の操作状態を検出する複数の接触端子を有する接触端子シートと、複数の接触端子に接続される複数のランド部及び配線部を有するフレキシブルケーブルと、接触端子シートとフレキシブルケーブルとを支持する板状のフレームと、を積層して備えた操作装置及びこれを装備した情報処理端末であって、
装置／端末の側面に配置される側面操作部に対応してその押圧操作を受ける側面用操作受け部を、フレームを屈曲させて形成すると共に、
側面用操作受け部に沿って屈曲され当該側面用操作受け部に支持される、側面操作部に対応した側面用接触端子を有する接触端子屈曲部と、この側面用接触端子に接続されるランド部を有するランド屈曲部とを、それぞれ接触端子シートとフレキシブルケーブルとに設けた、ことを特徴としている。【０００６】
上記発明によると、操作装置及びこれを装備した情報処理端末の側面の側面操作部を実装するための構造は、通常の操作部構造となる積層された接触端子シートとフレキシブルケーブルとフレームとの一部を、側面に沿って屈曲させて構成することで実現される。このように構成することで、側面操作部が押圧されたときには、その押圧力がフレームの屈曲された部分である側面用操作受け部にて受けられるため、当該側面用操作受け部と側面操作部との間に位置する接触端子シートの接触端子にて押圧操作が検出されフレキシブルケーブルのランド部に操作信号が伝達される。従って、側面操作部の操作状態の検出を簡易な構成にて実現することができると共に、通常の操作部と側面操作部との構成を一体化することができる。従って、装置や端末の薄型化、製造の迅速化、さらには、製造コストの低減、を実現することができる。【０００７】
そして、接触端子屈曲部に、側面用操作受け部の先端部にて当該先端部を覆うよう曲折される延設部を設けた、ことを特徴としている。このとき、ランド屈曲部を、側面用操作受け部に支持された状態において当該側面用操作受け部の先端部から突出しない長さに形成した、ことを特徴としている。【０００８】
このように、接触端子屈曲部の延設部を側面用操作受け部の先端部にて曲折させることで、当該接触端子屈曲部を側面用操作受け部に対して容易に固定することができ、その位置決めも容易に行うことができる。特に、装置／端末の厚み方向の位置あわせが容易となる。また、側面用操作受け部と接続端子屈曲部との間に位置するフレキシブルケーブルのランド屈曲部の位置決めも容易となる。従って、製造の簡略化、迅速化、さらには、装置／端末の高精度化を図ることができる。【０００９】
また、側面用操作受け部にて支持されるランド屈曲部を、側面用操作受け部に対して固着しない、ことを特徴としている。さらに、側面用操作受け部にて支持されランド屈曲部上に積層される接続端子屈曲部を、ランド屈曲部に対して固着しない、ことを特徴としている。【００１０】
これにより、上述したように、接続端子屈曲部に設けられた延設部にて、ランド屈曲部と接続端子屈曲部とを側面用操作受け部に対して固定することができると共に、固定後も各屈曲部が固着されていないため、これらの微小位置あわせを行うことができ、装置／端末の高精度化を図ることができる。【００１１】
さらに、接触端子屈曲部に設けられた延設部を、側面用操作受け部の内面側に貼り付けた、ことを特徴としている。これにより、ランド屈曲部と接続端子屈曲部とを側面用操作受け部に対してより安定させて固定することができる。【００１２】
また、側面用操作受け部の先端部に凹部を形成すると共に、側面用操作受け部の先端部における延設部の曲折箇所に、凹部に嵌合される狭幅部を設けた、ことを特徴としている。このとき、狭幅部の曲折方向における長さを、側面用操作受け部の先端部の板厚とほぼ同等に設定した、ことを特徴としている。【００１３】
これにより、接続端子屈曲部の先に位置する延設部に形成された狭幅部が側面用操作受け部の先端に形成された凹部に嵌合されるよう曲折させることで、左右方向の位置決め、また、装置／端末の厚さ方向の位置決めが容易となると共に、より安定した組み立てを実現できる。【００１４】
また、本発明の他の形態である操作装置及びこれを装備した情報処理端末の組立方法は、
外部に露出される複数の操作部に応じて形成され当該各操作部の操作状態を検出する複数の接触端子を有する接触端子シートと、複数の接触端子に接続される複数のランド部及び配線部を有するフレキシブルケーブルと、接触端子シートとフレキシブルケーブルとを支持する板状のフレームと、を積層する積層工程と、
接触端子シートに設けられ装置／端末の側面に配置される側面操作部に対応した側面用接触端子を有する接触端子屈曲部と、フレキシブルケーブルに設けられ側面用接触端子に接続されるランド部を有するランド屈曲部とを、側面操作部に対する押圧操作を受けるフレームを屈曲させて形成された側面用受け部に支持されるよう屈曲する屈曲工程と、を有することを特徴としている。【００１５】
そして、屈曲工程の後に、接触端子屈曲部の先端側に設けられた延設部を、側面用操作受け部の先端部にて当該先端部を覆うよう曲折する延設部曲折工程を有する、ことを特徴としている。また、屈曲工程は、ランド屈曲部を側面用操作受け部に対して固着しない、ことを特徴としている。また、積層工程及び屈曲工程は、ランド屈曲部上に積層される接続端子屈曲部をランド屈曲部に対して固着しない、ことを特徴としている。【００１６】
さらに、延設部曲折工程の後に、延設部を側面用操作受け部の内面側に貼り付ける延設部貼付工程を有する、ことを特徴としている。また、延設部屈曲工程は、側面用操作受け部の先端部に形成された凹部に、側面用操作受け部の先端部における延設部の曲折箇所に形成された狭幅部を嵌合する、ことを特徴としている。【００１７】
上述した構成の操作装置及びこれを用いた情報処理端末の組立方法においても、上記操作装置／情報処理端末と同様に作用するため、上述した本発明の目的を達成することができる。
【発明の効果】
【００１８】
本発明は、以上のように構成され機能するので、これによると、側面操作部を実装するための構造は、通常の操作部構造となる積層された接触端子シートとフレキシブルケーブルとフレームとの一部を、側面に沿って屈曲させて構成することで実現されるため、簡易な構成にて実現することができると共に、通常の操作部と側面操作部との構成を一体化することができる。従って、操作装置や情報処理端末の構成の簡素化、薄型化、製造の迅速化、さらには、製造コストの低減、を実現することができる、という従来にない優れた効果を有する。
【発明を実施するための最良の形態】
【００１９】
本発明は、操作装置や情報処理端末の側面の側面操作部を実装するための構造として、通常の操作部構造となる積層された接触端子シートとフレキシブルケーブルとフレームとの一部を、側面に対向するよう屈曲させて構成することで実現されることに特徴を有する。以下、実施例では、側面操作部が実装される情報処理端末の一例として、携帯電話を挙げて説明するが、ＰＤＡやオーディオプレーヤーなどの携帯型情報処理端末であってもよい。さらには、情報処理装置に接続されるリモコンなどの操作装置であってもよい。
【実施例１】
【００２０】
本発明の第１の実施例を、図１乃至図５を参照して説明する。図１乃至図２は、携帯電話の操作装置の実装構造を示す分解図であり、図３乃至図５は、操作部の組立方法を説明する説明図である。なお、本実施例では、一例として、折り畳み式携帯電話の操作装置側の構成を示して説明する。【００２１】
［構成］
図１に示す携帯電話の操作装置は、筐体を構成するフロントケース１とリアカバー１５とを備え、内部に、キートップ３と、接触端子シート５と、フレキシブルケーブル８と、フレーム１１と、基板１４と、を積層して備えている。以下、詳述する。【００２２】
フロントケース１は、まずその上面に、キートップ３に設けられたテンキーなどの複数のボタン（操作部）を外部に露出するためのキー穴が形成されている。また、側面には、キートップ３に設けられたサイドキー４を外部に露出するサイドキー穴４が形成されている。そして、このフロントケース１は、リアカバー１５と嵌合され、以下に詳述するフレーム１１や基板１４などを内部に固定して収容し、携帯電話の操作装置を構成する。なお、フロントケース１の一端にはヒンジ部が設けられていて、図示しない表示装置が回転自在に組み付けられ携帯電話が構成されるが、表示装置についてはその説明を省略する。【００２３】
キートップ３は、弾性を有する樹脂などで形成されており、その一方の面（表面）には、当該表面に対して垂直に押下可能な上述したテンキーなどの複数のボタンが設けられている。また、周囲の一部に、表面に対してほぼ垂直な面が延設されており、かかる延設面には、当該延設面に対してほぼ垂直に、つまり、上記テンキーなどのボタンとは垂直に押下可能なサイドキー４（側面操作部）が設けられている。【００２４】
次に、フレーム１１について詳述する。フレーム１１は、後述する接触端子シート５とフレキシブルケーブル８とを積層して支持し、固定する樹脂や板金である。具体的には、表面（図１にて上面）に、粘着剤にてフレキシブルケーブル８とシート５とが積層され貼り合わせられる。なお、フレームの４隅には、位置決め用の穴１３が形成されており、同様にフレキシブルケーブル８と接触端子シート５とにそれぞれ形成された位置決め用穴１０，７に挿通される組立治具（図示せず）を用いて、貼り合わせられる。【００２５】
また、フレーム１１の一辺の一部には、当該フレーム１１の本体表面にほぼ垂直に屈曲され、略長方形の面を形成した側面用操作受け部１２が設けられている。この側面用操作受け部１２は、組み立てられたときに上述したサイドキー４の位置に対応するよう形成されており、当該サイドキー４の押圧方向に対してほぼ垂直な面を形成し、その押圧力を受ける壁面としての機能を有する。なお、この側面用操作受け部１２は、サイドキー４との間に、後述する接触端子シート５の接触端子屈曲部６とフレキシブルケーブル８のランド屈曲部９とを介挿して支持する。【００２６】
また、上記側面用操作受け部１２の先端部の端面には、その中央部分が屈曲部分側に向かって凹んだ凹部１９が形成されている。この凹部１９の幅は、例えば、図４に示すように符号ｂで示す幅であり、後述する接触端子シート５の狭幅部６１の幅Ｂと同等かあるいはやや広く形成されている。なお、側面用操作受け部１２の板厚は、例えば、図４に示すように符号ａで示す板厚であり、狭幅部６１の長さＡと同等かあるいはそれよりもやや薄く形成されている。【００２７】
次に、接触端子シート５について詳述する。接触端子シート５は、上述したキートップ３に設けられた複数のボタンやサイドキー４に対応して、これらが押圧操作されたことを検出するドーム型の接触端子が配置され設けられている。特に、その一辺の一部には、後述するように屈曲される略長方形の接触端子屈曲部６が設けられている。この接触端子屈曲部６には、上述したサイドキー４に対応して当該サイドキー４の押圧操作を検出するための側面用接触端子６ａが設けられている。この接触端子屈曲部６は、図２に示すように、組み立てられる前は接触端子シート５の本体と同一平面を形成するよう屈曲せずに開いた状態になっているが、組立時には、フレーム１１の側面用操作受け部１２に沿って屈曲されてフレキシブルケーブル８のランド屈曲部９上に積層される。これにより、側面用接触端子６ａが、サイドキー４に対向するよう配置される。なお、接触端子屈曲部６は、側面用操作受け部１２とほぼ同一形状に形成されている。【００２８】
また、接触端子シート５のフレーム１１とほぼ平行に配置される本体部分には、当該フレーム１１面側に粘着剤が設けられており、フレーム１１に直接貼り付けられるフレキシブルケーブル８に積層されて貼り付けられる。一方、上記接触端子屈曲部６部分には、フレーム１１面側に粘着剤が設けられていないため、側面用操作受け部１２に対して支持されるものの、当該側面用操作受け部１２、つまり、その間に介挿されるフレキシブルケーブル８のランド屈曲部９には固着されない。【００２９】
さらに、図２及び図４に示すように、接触端子シート５の接触端子屈曲部６のさらに先端側には、延設部６０が形成されており、その根元には、一旦その幅が狭くなる狭幅部６１が形成されている。なお、狭幅部６１よりも先端側に位置する延設部６０は、接触端子屈曲部６とほぼ同一幅である略長方形状に形成されている。そして、上記狭幅部６１の幅Ｂは、図４に示すように、上述したフレーム１１の側面用操作受け部１２の凹部１９の幅ｂと同等か、あるいは、やや狭く形成されている。また、狭幅部６０の曲折方向における長さＡは、図４に示すように側面用操作受け部１２の板厚とほぼ同等かやや長く形成されている。これにより、後述するように、延設部６１が狭幅部６１にて側面用操作受け部１２の先端部で曲折されると、当該狭幅部６１が凹部１９に嵌合されることとなる。このとき、特に、狭幅部６１は、側面用操作受け部１２の先端部に対して約３６０度曲折されるため、さらに先端側に位置する延設部６０が側面用操作受け部１２の裏面側（内面側）に位置することとなる。そして、延設部６０には、フレーム１１面側に粘着剤が設けられているため、当該側面用操作受け部１２の裏面側（内面側）に延設部６０が固着されることとなる。なお、狭幅部６１にも粘着剤が設けられていてもよいが、上述したように、接触端子屈曲部６には粘着剤は設けられていない。【００３０】
続いて、フレキシブルケーブル８について詳述する。フレキシブルケーブル８は、接触端子シート５とフレーム１１との間に介挿されるものであり、接触端子シート５に設けられた複数の接触端子に対応する複数のランド部及び配線が設けられている。そして、その一辺の一部には、上述した側面用操作受け部１２と接触端子屈曲部６との間に介挿され、これらとほぼ同一形状である略長方形のランド屈曲部９が設けられている。そして、このランド屈曲部９には、側面用接触端子６ａに対応する側面用ランド部９ａが設けられている。なお、ランド屈曲部９は、上述した接触端子屈曲部６と同様に、図２に示すように、組み立てられる前は接触端子シート５の本体と同一平面を形成するよう屈曲せずに開いた状態になっているが、組立時には、フレーム１１の側面用操作受け部１２に沿って曲折されて接触端子屈曲部６と積層される。これにより、側面用ランド部９ａと側面用接触端子６ａとが、サイドキー４の押下方向に積層された状態で配置される。このとき、ランド屈曲部９は、側面用操作受け部１２とほぼ同一形状であることから、ランド屈曲部９の先端部は側面用操作受け部１２の先端部からは突出しない長さに形成されている。【００３１】
また、フレキシブルケーブル８のフレーム１１とほぼ平行な本体部分は、当該フレーム１１面側に粘着剤が設けられており、フレーム１１に直接貼り付けられる。一方、上記ランド屈曲部９部分には、フレーム１１面側に粘着剤が設けられていないため、側面用操作受け部１２に対して支持されるものの、当該側面用操作受け部１２には固着されない。【００３２】
［組立手順］
次に、上述した構成の携帯電話の操作装置の組立手順を、図２乃至図５を参照して説明する。はじめに、接触端子シート５及びフレキシブルケーブル８をフレーム１１に組み込み手順について説明する。【００３３】
まず、図２に示すように、フレーム１１に設けた位置決め用貫通穴１３と同数のピンを有する位置決め用治具を用いて、正面側のキーボタン面にフレキシブルケーブル８、接触端子シート５の順で、それぞれの屈曲部９、６を開いた状態で、フレーム１１同様位置決め用貫通穴１０、７を治具のピンに嵌めて落とし込む。すると、フレキシブルケーブル８と接触端子シート５とに設けられた粘着剤にて、フレーム１１、フレキシブルケーブル、接触端子シート５の順で貼り付けられ、一体的に積層される（積層工程）。なお、図２、各構成５，８，１１を裏面側から見た図であり、貼付され積層されたときの状態を図３（ａ）に示す。このとき、接触端子シート５の側面用接触端子６ａが実装された接触端子屈曲部６は、フレキシブルケーブル８の側面用ランド部９ａが実装されたランド屈曲部９に相対するよう位置する。【００３４】
そして、図３（ａ）に示すように、予め曲折されているフレーム１１の側面用操作受け部１２に対して、ランド屈曲部９と接触端子屈曲部６とが突出して開いた状態であるため（図４の二点鎖線参照）、続いて、図３（ｂ）に示すように、ランド屈曲部９と接触端子屈曲部６とを側面操作受け部１２に沿って、ほぼ直角に屈曲する（屈曲工程）。つまり、図２及び図３に示す線１６，１７にて屈曲させる。これにより、ランド屈曲部９と接触端子屈曲部６とが、側面用操作受け部１２に対して積層された状態になる。【００３５】
続いて、図３（ｃ）、図４、図５に示すように、側面用操作受け部１２の先端部から突出している接触端子シート５の延設部６０を、さらに内側に曲折する（延設部曲折工程）。なお、図５は、斜め横から見た図である。このとき、図２及び図３の線１８にて示す延設部６０の根元に位置する狭幅部６１にて曲折するが、当該狭幅部６１が側面用操作受け部１２の先端部に形成された凹部１９に嵌合されるよう位置合わせをすることで、左右方向、および装置厚み方向の位置決めを行なう。【００３６】
そして、狭幅部６１を、側面操作受け部１２の先端部を覆うよう約３６０度曲折することで、接触端子シート５の延設部６０が側面用操作受け部１２の裏面側に接するようになる。ここで、延設部６０には粘着剤が設けられているため、側面用操作受け部１２の裏面側に貼り付けることができる（延設部貼付工程）。これにより、接触端子シート５の接触端子屈曲部６つまり側面用接触端子６ａの位置を固定することができる。【００３７】
但し、かかる状態では、側面用操作受け部１２に対してフレキシブルケーブルのランド屈曲部９は固着されておらず、また、積層されている接触端子シート５の接触端子屈曲部６もランド屈曲部９に対して固着されていない。従って、ランド屈曲部９や接触端子屈曲部６の位置を、側面用操作受け部１２上にて柔軟に微調整することができる。【００３８】
次に、接触端子シート５とフレキシブルケーブル８とが積層されたフレーム１１を、基板１４に係止する。このとき、フレーム１１に設けた爪構造（図示せず）などにより係止する。そして、フレキシブルケーブル８と基板１４とは、コネクタなど接続部品、および手法を用いて接続されており、キーボタン３が押された信号をフレキシブルケーブル８に設けられたランド部より配線を通して基板１４に伝達され、装置が制御される構造となる。【００３９】
その後、フロントケース１にキートップ３のサイドキー４を含む各種ボタンをサイドキー穴２などから突出させた状態にて、当該フロントケース１とリアカバー１５との間にフレーム１１及び基板１４を収容し、爪嵌合などの方法にて組み合わせる。【００４０】
このようにすることにより、本発明のサイドキーを実装する構造は、通常の操作部構造となる積層された接触端子シートとフレキシブルケーブルとフレームとの一部を、側面に沿って屈曲させて構成しているため、簡易な構成にて実現することができると共に、テンキーなどの正面側に位置する各種ボタンとサイドキーとの構成を一体化することができる。従って、端末の薄型化、製造の迅速化、さらには、製造コストの低減、を実現することができる。【００４１】
また、接触端子屈曲部６の延設部６０を、側面用操作受け部１２の先端部にて曲折させ、特に、その先端部に形成された凹部１９に嵌合させる構成を採ることで、装置の厚み方向や左右方向（装置の長手方向）への位置決めが容易となる。【００４２】
さらに、接続端子屈曲部６を固定した後に、サイドキー４に対応する側面用接触端子６ａ及び側面用ランド部９ａの微小位置決めが可能であるため、装置の高精度化を図ることができる。【００４３】
なお、上記では、携帯電話の操作装置の側面にほぼ垂直に押下されるサイドキーに対する構成を説明したが、サイドキーの押下角度は限定されない。つまり、サイドキーの押圧角度やサイドキーが設けられる側面の角度に応じて、側面用操作受け部１２や各屈曲部６，９の配置角度などを変更することで、種々のサイドキーに対応することができる。また、上述した側面用操作受け部１２、接触端子屈曲部６、ランド屈曲部９などの構造を複数設けることで、装置のサイズを増大させることなく、複数の側面にサイドキーを実装することも可能である。
【産業上の利用可能性】
【００４４】
本発明は、サイドキーを有する携帯電話などの情報処理端末に利用することができ、産業上の利用可能性を有する。
【図面の簡単な説明】
【００４５】
【図１】携帯電話の操作装置の構成を示す分解図である。
【図２】携帯電話の操作装置の構成の一部を示す分解図であり、組立前の様子を示す図である。
【図３】携帯電話の操作装置の構成の一部の組立時の様子を示す図である。
【図４】携帯電話の操作装置の構成の一部の組立時の様子を示す図である。
【図５】携帯電話の操作装置の構成の一部の組立時の様子を示す図である。
【符号の説明】
【００４６】
１    フロントケース
２    サイドキー穴
３    キートップ
４    サイドキー
５    接触端子シート
６    接触端子屈曲部
８    フレキシブルケーブル
９    ランド屈曲部
１１    フレーム
１２    側面用操作受け部
１４    基板
１５    リアカバー
１９    凹部
６０    延設部
６１    狭幅部
６ａ    側面用接触端子
９ａ    側面用ランド部
【図１】
0005176953.tif 000002
【図２】
0005176953.tif 000003
【図３】
0005176953.tif 000004
【図４】
0005176953.tif 000005
【図５】
0005176953.tif 000006